(57)【要約】【課題】折り畳み傘と一緒に携帯する傘入れの使用形態に多様性を付与する。【解決手段】傘入れ本体2は、外皮が合成繊維製の正面視細長い長方形の形状を有し、その内面に撥水コーティング3が施され、また、その前面11にスライドファスナ5で開閉される開口部4を有する。傘入れ本体2の最内層はタオル地のマイクロファイバークロス６で構成されている。傘入れ本体2はマチ10を備え、折り畳み傘を入れる内部容積が拡大する。傘入れ本体2の背面12には、その一側縁に沿って延びる帯状ベルト7が設けられ、帯状ベルト7は長手方向中間部分に面ファスナ8を備えている。【選択図】図6
2011189201.tif 000002
【特許請求の範囲】
【請求項１】
折り畳んだ状態の折り畳み傘を収容することのできる長さ寸法を備えた傘入れ本体を有し、
前記傘入れ本体は、細長い形状の前面及び背面と、これら前面の側縁と背面の側縁との間に設けられたマチとによって、傘を収容していないときに扁平な細長い形状を有し、
前記傘入れ本体は、収容した折り畳み傘の周囲を覆う布地又は不織布からなる吸水層と、該吸水層の外側に配設された可撓性の防水層とを少なくとも有し、
前記傘入れ本体が、該傘入れ本体の長手方向一端部から他端部に亘って延びるスライドファスナによって開閉可能な開口部を有することを特徴とする折り畳み傘の傘入れ。
【請求項２】
前記傘入れ本体の背面に設けられたベルトを更に有し、
該ベルトが前記傘入れ本体の背面の一側部に片寄せして配設されていると共に、前記傘入れ本体の長手方向一端部から他端部まで前記背面に沿って且つ該背面に隣接して延び、
該ベルトの長手方向中間部分に面ファスナが設けられて、該面ファスナによって前記ベルトの長手方向中間部分を前記傘入れ本体の背面に固定することができる、請求項１に記載の折り畳み傘の傘入れ。
【請求項３】
前記ベルトが帯状の形状を有し、該帯状ベルトは、該帯状ベルトの一側縁が前記傘入れ本体の背面の一側縁と位置合わせした状態で配設されている、請求項２に記載の折り畳み傘の傘入れ。
【請求項４】
前記スライドファスナが前記傘入れ本体の前面の幅方向中間部分に配設されている、請求項２又は３に記載の折り畳み傘の傘入れ。
【請求項５】
前記吸水層が、タオル地のマイクロファイバークロスで構成されている、請求項１〜４のいずれか一項に記載の折り畳み傘の傘入れ。
【発明の詳細な説明】
【技術分野】
【０００１】
本発明は、雨に濡れた折り畳み傘を収容するための傘入れに関する。
【背景技術】
【０００２】
濡れた傘は、店舗の屋内や乗り物の車内等では、その水滴が衣服に付着したり、床を濡らして滑り易くなったり等の点で始末に困るものである。また、雨後に持ち歩く場合にも同様の問題がある。店舗の入口に傘立てが設置されているが、収納しにくく、帰りに忘れてしまったり、盗難の虞もある。店舗によっては、ビニール袋を備え付けてある場合もあるが、破れ易くて完全とは言えず、店舗内ならば兎も角、車内や外出先では決して体裁の良いものではない。
【０００３】
非使用時には、傘の付属品のカバーに収納して被せれば良いのであるが、このカバーは傘の布と同一繊維であり、濡れたまま被せると水滴が染み出てきてしまったり、生乾きのまま収納することになるので蒸れて異臭を発する等の不都合も存する。
【０００４】
折り畳み傘はコンパクトであるため鞄の中に入れて持ち運ぶことができるという利便性に優れているが、雨に濡れた傘を携帯するときに折り畳み傘の利便性が消失してしまうという問題がある。この問題に対して従来から種々の提案が行われている。
【０００５】
特許文献１の発明「傘入れ」は、上端が開放され、下端が閉塞された軟らかくて薄い軟質合成樹脂製の細長円錐台形状の本体の内部に同形状の水分吸収体を装着した構成を有し、傘を収容するときに、傘の先端から上端開口に挿入するようになっている。この特許文献１の傘入れは、濡れた折り畳み傘を折り畳んで傘入れに挿入するときに折り畳んだ骨の先端が上端開口に引っ掛かり易いという問題がある。
【０００６】
特許文献２は「折り畳み傘用収納具」を提案している。この折り畳み傘用収納具は、塩化ビニールやオレフィン系の防水性熱可塑性樹脂製の上端面と下端面とを備えた円筒状の外装部と、この外装部の中に取り外し可能に収容される内装部とで構成され、外装部の上端面の直径の一端から他端まで延び且つ円筒の側面の上半分まで軸線方向に延びるスライドファスナを有し、このスライドファスナを引き下ろすことによって外装部の上半分を左右に大きく開くことができ、この開口から内装部を取り出すことができる。内装部は、吸水性及び水分を絞り出した後の速乾性に優れたレーヨン繊維含有の布地や不織布、PVAスポンジで構成された有底筒体を有し、フラップで覆うことのできる上端開口部を通じて傘を抜き差しすることができる。
【０００７】
特許文献３は、正面視矩形の細長い外形形状を有する傘収容具を提案している。この傘収容具は、矩形の三辺に延びるスライドファスナを有し、スライドファスナを開放して展開したときには一枚の防水素材のシートとなる。シートの折り目を堺に一方の内面には、その全領域に数多くの吸水パイルが設けられている。この吸水パイルはマイクロファイバーで構成された柱状の形状を有し吸水性に優れている。
【先行技術文献】
【特許文献】
【０００８】
【特許文献１】特開平６-１９７８０６号公報
【特許文献２】特開２００９-１１６９２号公報
【特許文献３】特開２０１０−１７２１０公報
【発明の概要】
【発明が解決しようとする課題】
【０００９】
特許文献１の発明は、傘に付着した雨水を簡易且つ迅速に吸収して折り畳み傘を鞄に入れても鞄の中身を濡らさないことを技術的課題として、その改善案を提案するものであり、外皮を構成する素材として軟質合成樹脂を採用している。特許文献２、３も外皮を構成する素材として塩ビやオレフィン系熱可塑性樹脂（特許文献２）、シート状防水材（特許文献３）を採用していることからも、特許文献２、３の発明は、特許文献１が提示した技術的課題の延長線上の改善案を提案していると言うことができる。
【００１０】
ところで、折り畳み傘の利点はその携帯性にあり、雨降りに備えて鞄に入れて携帯する使用形態が多く見られる。このことから２つ折りから３つ折りというように多段階に骨を折り曲げることで一層のコンパクト性を主張した折り畳み傘が出現している。
【００１１】
折り畳み傘用の傘入れの使用形態を見直してみるに、傘布に設けられているベルトで傘布を結束した状態の折り畳み傘を傘入れに入れて鞄の中に収容しておき、雨が降ったら傘入れから取り出し、そして例えば建物の中に入る時に雨で濡れた傘を折り畳んで傘入れに入れるという使用形態の他に、折り畳み傘とは別に傘入れを鞄の中に入れておき、折り畳み傘を使用した後に雨で濡れている傘を折り畳んで傘入れに入れ、そして、この傘入れを鞄の中に収容するという使用形態が考えられる。
【００１２】
この２つの典型的な使用形態において、傘入れは鞄の中に収容されている状態が継続されることから外皮が防水性や撥水性の材料でなければならない必然性は必ずしも無い。また、後者の使用形態では傘入れそれ自体の体積が小さければ小さいほどよい。
【００１３】
本願発明者は、特許文献１に明記されている技術的課題つまり「雨水で濡れた折り畳み傘を鞄に入れても鞄の中身を濡らさない」という技術的課題をそのまま踏まえつつ、傘入れの市場を活性化するのに傘入れの使用形態に多様性を付与するのが良いとの観点に立って傘入れの基本構造を見直した結果、本願発明を案出するに至ったものである。
【００１４】
本発明の目的は、折り畳み傘と一緒に携帯する傘入れの使用形態に多様性を付与することのできる折り畳み傘の傘入れを提供することにある。
【００１５】
本発明の更なる目的は、傘を収納していないときの傘入れの体積を小さくすることのできる折り畳み傘の傘入れを提供することにある。
【００１６】
本発明の更なる目的は、傘を収納していないときの傘入れが鞄の中で占める容積を可能な限り小さくすることのできる折り畳み傘の傘入れを提供することにある。
【００１７】
本発明の更なる目的は、鞄の外に傘入れを出した状態で携帯するときに鞄との一体性を確保することのできる折り畳み傘の傘入れを提供することにある。
【課題を解決するための手段】
【００１８】
上記の技術的課題は、本発明によれば、
折り畳んだ状態の折り畳み傘を収容することのできる長さ寸法を備えた傘入れ本体を有し、
前記傘入れ本体は、細長い形状の前面及び背面と、これら前面の側縁と背面の側縁との間に設けられたマチとによって、傘を収容していないときに扁平な細長い形状を有し、
前記傘入れ本体は、収容した折り畳み傘の周囲を覆う布地又は不織布からなる吸水層と、該吸水層の外側に配設された可撓性の防水層とを少なくとも有し、
前記傘入れ本体が、該傘入れ本体の長手方向一端部から他端部に亘って延びるスライドファスナによって開閉可能な開口部を有することを特徴とする折り畳み傘の傘入れを提供することによって達成される。
【００１９】
本発明の傘入れは、折り畳み傘を収容するとマチが展開することにより容積が拡大して折り畳み傘を収容することができる。本発明の傘入れは、折り畳み傘を収容していないときには容積が縮小してコンパクトな且つ扁平な形状になるため、傘入れを折り畳まない鞄の中や鞄のポケットに入れて携帯することができる。
【００２０】
本発明の作用効果は以下の本発明の好ましい実施例の詳しい説明から明らかになろう。
【図面の簡単な説明】
【００２１】
【図１】本発明にかかる傘入れの一例を示す斜視図である。
【図２】一部の拡大断面図である。
【図３】実施例の傘入れの正面図であり、スライドファスナを引き下ろして傘入れ本体の前面を左右に開いた状態を示す。
【図４】実施例の傘入れの背面図である。
【図５】折り畳み傘を収容した状態の傘入れを斜め後方から見た図である。
【図６】実施例の傘入れの典型的な一つの使用形態を説明するための図であり、傘入れのベルトを使って鞄の取っ手に傘入れを取り付けた状態を示す。
【発明を実施するための形態】
【実施例】
【００２２】
以下に、添付の図面に基づいて本発明の好ましい実施例を説明する。
【００２３】
図１、図２を参照して実施例の傘入れの概要を説明すると、図示の傘入れ１は傘入れ本体２を有する。傘入れ本体２は、外皮が合成繊維製の正面視細長い形状を有し、その内面に撥水加工としてのコーティング３が施されている。また、傘入れ本体２は長手方向に沿って設けられた開口部４を有し、この開口部４は密封性に優れたスライドファスナ５を介して開閉自在である。この傘入れ本体２の内面には、高度の吸水性を有するマイクロファイバークロス６を縫い付ける又は接着させることにより添設されており、また、傘入れ本体２の外面の一部に、引っ掛け用のベルト７が設けられている。
【００２４】
傘入れ本体２はポリエステル等の合成繊維の布で作られており、この合成繊維の内面に施されるコーティング層３は塩化ビニールで形成されている。このコーティング層３は撥水性、耐久性に優れており、濡れた傘を傘入れ１の内部に収納した際、その水分が傘入れ本体２の外部に染み出すのを阻止する。同様に、傘入れ本体２の長手方向に沿って設けられた開口部４も密封性に優れたスライドファスナ５により閉塞されるので、水分が染み出ることはない。
【００２５】
傘入れ本体２の内面に添設されるマイクロファイバークロス６は周知のように高度の吸水性、保水性を有しているので、内部に収納された濡れた傘の水分を確実に吸収し、傘を乾燥させることができる。
【００２６】
また、傘入れ本体２の外面の背面側には引っ掛け用のベルト７が装着されており、このベルト７の内面中央部と傘入れ本体２の外面との間に面ファスナ８を設けておけば、例えば傘を収納した傘入れ本体２のこのベルト７を鞄１５の取っ手１６（図６）に掛けると共に、中央でこの面ファスナ８を使ってベルト７を傘入れ本体２に固定することも可能である。
【００２７】
図１〜図６を参照して傘入れ１を詳しく説明すると、傘入れ本体２は、正面視長方形の外形輪郭を有し、その長さ寸法は２つ折りの折り畳み傘を折り畳んだときの全長を考慮して設定されている。３つ折りの折り畳み傘を専用にした傘入れ１を設計するのであれば、三つ折りの折り畳み傘を折り畳んだときの全長を考慮して傘入れ１の長さ寸法を設定すればよい。
【００２８】
傘入れ本体２は側部にマチ１０を有し、マチ１０は、傘入れ本体２の長手方向全長に亘って延びている。マチ１０は、傘入れ本体２の一方の側部だけに設けてもよいが、この好ましい実施例では両方の側部にマチ１０が設けられている。なお、図５、図６には、作図上の理由から傘入れ本体２の一方側のマチ１０だけが図示され、他方側のマチは図面に表れていない。
【００２９】
傘入れ本体２は、折り畳み傘（図示せず）を収容することによりマチ１０が展開して傘入れ本体２が膨らんだ状態に変化して折り畳み傘を収容できる（図５、図６）。他方、折り畳み傘を取り出してマチ１０を二つ折りの状態にすることで傘入れ本体２は扁平な形状に変化する。換言すると、傘入れ本体２は、その両側部の全長に亘って延びるマチ１０を備えることで内部容積が可変であり、折り畳み傘を収容していない状態では、マチ１０が傘入れ本体２の幅方向内方で２つ折りに折り畳んだ状態となって傘入れ本体２は扁平な正面視長方形の形状になる。
【００３０】
スライドファスナ５は傘入れ本体２の長方形の前面１１の幅方向中間部分に配設され、このスライドファスナ５は傘入れ本体２の長手方向一端部から他端部まで直線状に延びている。これにより、図３から最もよく分かるようにスライドファスナ５を開くことにより、傘入れ本体２の前面１１の長手方向全長に亘って、その幅方向に２つ割りした状態で左右に大きく開放することができる。これにより、雨に濡れた折り畳み傘を傘入れ本体２に容易に入れることができるだけでなく、使用後に傘入れ本体２を反転させてマイクロファイバークロス６を外部に露出させることができるため、傘入れ本体２の内部を比較的短時間で乾燥させることができる。
【００３１】
スライドファスナ５の配置位置の変形例として、傘入れ本体２の前面１１又は背面１２の側部にスライドファスナ５を配置してもよいし、前面１１と背面１２の側縁に縫い付けられて前面１１と背面１２との間に介装されたマチ１０を２つ折りする折り目にスライドファスナ５を配置してもよい。
【００３２】
スライドファスナ５を引き下ろして傘入れ本体２の開口部４を左右に大きく開放した状態を示す図３を参照して、傘入れ本体２の内面はその全領域がマイクロファイバークロス６で構成されている。このマイクロファイバークロス６は最も好ましくはタオル地であるのがよい。実施例で採用したマイクロファイバーは半径方向外方に向けて開放したＶ字状の微視的な断面形状を有している。この種のマイクロファイバーはポリエステルとナイロンの混紡品で既に公知であることから、その詳しい説明を省略するが、吸水性及び速乾性が共に優れている。
【００３３】
変形例として、傘入れ本体２の内面を構成する可撓性吸水層として、マイクロファイバークロス６に代えて、特許文献２（特開２００９−１１６９２号公報）に開示のレーヨン繊維含有の不織布や布地で構成してもよく、また、そのタオル地で構成してもよい。
【００３４】
前述したように、実施例の傘入れ本体２はその最外層つまり可撓性の外皮が合成繊維で構成されている。より詳しくは、共に同じ長方形の形状を備えた前面１１及び背面１２と、これらの間に介在するマチ１０は共通の色で染色したポリエステル繊維の布地で構成され、その内面に可撓性の防水層３がコーティングされているが、本発明は必ずしもこの構成に限定されない。例えば、傘入れ本体２の前面１１、背面１２、マチ１０は異なる色に染色されていてもよいし、異なる材料で構成されていてもよい。具体的に説明すると、前面１１、背面１２を例えば合成皮革で構成してもよく、また、マチ１０を含む傘入れ本体２の可撓性外皮を全て合成皮革で構成してもよい。また、前面１１、背面１２、マチ１０の内面に防水層３をコーティングする代わりに、前面１１、背面１２、マチ１０と上述した吸水層３との間に防水性の布やシート（典型例として塩化ビニールシート）を介装してもよいし、この防水性の布やシートで外皮つまり前面１１、背面１２、マチ１０を構成してもよい。
【００３５】
傘入れ本体２の背面１２には、前述したベルト７が背面１２に沿って且つ背面１２に隣接して配設されている。ベルト７は、前面１１などと同じ材料つまりポリエステル繊維の布地で作られているが、その材料は任意である。ベルト７の色はこの実施例では前面１１や背面１２と同じ色であるが、異なる色を有していてもよい。
【００３６】
ベルト７は幅を有する帯状の形状を有し、布地を折り返して互いに縫い合わせた二枚重ねの構造を有している。帯状ベルト７は、背面１２の一側部に片寄せして配設されている。より具体的には、背面７の一側縁に隣接して配設されており、この実施例では最も好ましい態様として、実施例の傘入れ本体２の背面７の一直線の輪郭の一側縁に整合するように帯状ベルト７の一側縁が同じ一直線の輪郭形状を有し、このベルト７の一側縁が背面の一側縁と位置合わせした状態でベルト７が位置決めされている。
【００３７】
ベルト７は、傘入れ本体２の長さ寸法と同じ長さ寸法を有し、ベルト７の長手方向一端部と他端部が傘入れ本体２に縫い付けられている。すなわち、ベルト７は傘入れ本体７の一端から他端まで傘入れ本体２の背面７に隣接した状態で連続して延びている。傘入れ本体２の一端から他端まで延びる長さ寸法を備えたベルト７を採用することにより、ベルト７の端部を傘入れ本体２の端部に縫い合わせるときに当該部分を別途補強する必要は無い。換言すると、ベルト７を傘入れ本体２の長さ寸法よりも短い場合には、傘入れ本体２の折り畳み傘を入れる部分にベルト７の端部を縫い付けることになるため当該部分を補強する必要がある。
【００３８】
ベルト７の長手方向中間部分には、前述したように面ファスナ８が縫い付けられており、この面ファスナ８を受け止める係止ファスナ１３が背面１２の対応する箇所に縫い付けられている。ベルト７の面ファスナ８を傘入れ本体２の係止ファスナ１３に押し付けることでベルト７の長手方向中間部分を傘入れ本体２に固定することができる。
【００３９】
図６を参照すると良く分かるように、ベルト７を鞄１５の取っ手１６に掛けると共に、ベルト７の長手方向中間部分を面ファスナ８で傘入れ本体２に固定することで、この面ファスナ８を取っ手１６の左右の基端部１６ａ、１６ｂの間に位置させることができる。そして、この面ファスナ８で固定した部分によって、ベルト７つまり傘入れ本体２が鞄１５に対して大きく相対移動するのを防止することができる。このことから理解できるように、傘入れ本体２の長さ寸法と実質的に同じ長さ寸法を備えたベルト７を傘入れ本体２の一側部に配設することで、傘入れ１は鞄１５の上端部に寄り添った状態で位置決めされ、また、面ファスナ８によって傘入れ１が鞄１５に対して前後に相対変位を抑制することができる。変形例として、面ファスナ８を分割して、２つの面ファスナを鞄１５の取っ手１６の２つの基端部１６ａ、１６ｂに隣接した内側または外側に位置するように配置してもよい。
【００４０】
図３、図４などに示す参照符号２０は端末部材である。端末部材２０は２つ折りして傘入れ本体２の端部に縫い付けられている。この端末部材２０の色を傘入れ本体２の色とは異ならせることで傘入れ１のデザイン性を高めることができる。
【００４１】
図３、図４から良く分かるように、マチ１０を備えた傘入れ１は細長い且つ扁平な形状を有しており、そして吸水層が布地、好ましくはタオル布地、最も好ましくはタオル地のマイクロファイバークロス６で構成されているため、傘入れ１は比較的肉薄である。このことから、鞄１５に入れて持ち運ぶときに傘入れ１を折り畳むことなく鞄１５に収容したとしても邪魔にならない。鞄１５の前後長さが傘入れ１よりも短いときには傘入れ１を容易に２つ折りや３つ折りして、その長さ寸法を小さくすることができる。
【００４２】
傘入れ本体２の外形輪郭は長方形に限定されない。正面視したときに長手方向中間部分が膨らみを持った形状つまり傘入れ本体２の両端部の幅寸法よりも長手方向中間部分の幅寸法が大きくてもよい。また、傘入れ本体２の前面１１及び背面１２の側縁を波形にする等の意匠を施してもよい。
【００４３】
実施例の傘入れ１は、折り畳み傘を入れていない状態のときには、その容積が、折り畳み傘を収容したときの容積よりも小さく且つ扁平な細長い形状を有していることから、傘入れ１を折り畳むことなく展開した状態で鞄に入れたとしても嵩張らないため鞄の中身の隣りや鞄１５のポケットに収容することができる。また、扁平な形状を有していることから、傘入れ１を折り畳んで鞄１５に入れても良いし、傘入れ１の一端から丸めた状態で鞄１５の中に収容してもよい。また、傘入れ１はその一側に片寄せしたベルト７を使って鞄１５の取っ手１６に掛けた状態で鞄１５の外に位置させたとしても、傘入れ１が嵩張らないこと及び鞄１５の上部で鞄１５に寄り添って安定的に位置することから見栄えを損なうこともない。そして、傘入れ１の可撓性外皮を人工皮革や任意の合成繊維で構成したときには、鞄１５の外に位置して持ち運んでも、外皮の色合いや風合いでおしゃれな感じを提供することができる。
【００４４】
雨に濡れた折り畳み傘を収容したときには、傘入れ１のマチ１０が展開して膨らんだ形状になるが、傘入れ本体の前面１１、背面１２が細長い形状を有しているためスリムな感じを与えることができる。このことから、鞄１５の取っ手１６に掛けて傘入れ１を持ち運んだとしてもその存在感を際だたせること無く鞄１５と一体的な感じを与えることができる。勿論、コーティング層３によって内部からの水分の漏れ出しが防止され且つマイクロファイバクロス６によって折り畳み傘に付着した雨水が吸い取られるため、雨で濡れた折り畳み傘を収容した傘入れ１を鞄１５の中に入れたとしても鞄１５の中身を濡らしてしまうことはない。
【符号の説明】
【００４５】
１    傘入れ
２    傘入れ本体
３    コーティング
４    開口部
５    スライドファスナ
６    マイクロファイバークロス
７    ベルト
８    面ファスナ
１０    傘入れ本体のマチ
１５    鞄
１６    鞄の取っ手
【図１】
2011189201.tif 000003
【図２】
2011189201.tif 000004
【図３】
2011189201.tif 000005
【図４】
2011189201.tif 000006
【図５】
2011189201.tif 000007
【図６】
2011189201.tif 000008